【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
隣接する第１画素と第２画素との間に延在する配線と、
前記配線に対して前記第１画素の側に設けられた前記第１画素用の第１画素素子部と、
前記第２画素用の第２画素素子部と、
を備え、
前記第２画素素子部は前記第１画素素子部とともに前記配線に対して前記第１画素の側に設けられていることを特徴とする液晶パネル。
【請求項２】
隣接する第１画素と第２画素との間に延在するドレイン配線と、
前記ドレイン配線に対して前記第１画素の側に設けられた前記第１画素用の第１トランジスタと、
前記第２画素用の第２トランジスタと、
を備え、
前記第２画素用の第２トランジスタは前記第１トランジスタとともに前記ドレイン配線に対して前記第１画素の側に設けられていることを特徴とする液晶パネル。
【請求項３】
請求項２に記載の液晶パネルであって、
前記ドレイン配線と交差する方向に延在するゲート配線をさらに備え、
前記第１トランジスタおよび前記第２トランジスタのそれぞれのソースおよびドレインは前記ゲート配線に対し一方側に設けられていることを特徴とする液晶パネル。
【請求項４】
請求項２に記載の液晶パネルであって、
前記ドレイン配線と交差する方向に延在するゲート配線をさらに備え、
前記第１トランジスタのソースおよびドレインは前記ゲート配線に対し一方側に設けられ、前記第２トランジスタのソースおよびドレインは前記ゲート配線に対し他方側に設けられていることを特徴とする液晶パネル。
【請求項５】
請求項２から請求項４のいずれかに記載の液晶パネルであって、
前記第１画素用の第１画素電極と、
前記第２画素用の第２画素電極と、
をさらに備え、
前記第１画素電極および前記第２画素電極は前記ドレイン配線に対して前記第１画素の側においてそれぞれ前記第１トランジスタおよび前記第２トランジスタに接続されていることを特徴とする液晶パネル。
【請求項６】
請求項３に記載の液晶パネルであって、
前記ドレイン配線に対して前記第１画素の側に設けられた前記第１画素用の第１保持容量と、
前記第１保持容量とともに前記ドレイン配線に対して前記第１画素の側に設けられた前記第２画素用の第２保持容量と、
をさらに備え、
前記第１保持容量および前記第２保持容量は前記ゲート配線に対し一方側に設けられていることを特徴とする液晶パネル。
【請求項７】
請求項２から請求項４のいずれかに記載の液晶パネルであって、
前記第１画素用の第１画素電極および第１共通電極と、
前記第２画素用の第２画素電極および第２共通電極と、
をさらに備え、
前記第１画素電極および前記第１共通電極は絶縁膜を介して第１保持容量を形成し、前記第２画素電極および前記第２共通電極は絶縁膜を介して第２保持容量を形成していることを特徴とする液晶パネル。
【請求項８】
請求項７に記載の液晶パネルであって、
前記第１画素電極および前記第２画素電極は前記ドレイン配線に対して前記第１画素の側においてそれぞれ前記第１トランジスタおよび前記第２トランジスタに接続されていることを特徴とする液晶パネル。
【請求項９】
請求項１から請求項８のいずれかに記載の液晶パネルであって、
前記第１画素は前記第２画素よりも強度の強い波長を含む表示色を表示する画素であることを特徴とする液晶パネル。
【請求項１０】
請求項１から請求項８のいずれかに記載の液晶パネルであって、
前記第１画素はシアンまたは緑の表示色を表示する画素であることを特徴とする液晶パネル。
【請求項１１】
請求項１０に記載の液晶パネルであって、
前記第２画素は赤または青の表示色を表示する画素であることを特徴とする液晶パネル。
【手続補正２】
【補正対象書類名】明細書
【補正対象項目名】００１１
【補正方法】変更
【補正の内容】
【００１１】
本発明に係る液晶パネルは、隣接する第１画素と第２画素との間に延在する配線と、前記配線に対して前記第１画素の側に設けられた前記第１画素用の第１画素素子部と、前記第２画素用の第２画素素子部と、を備え、前記第２画素素子部は前記第１画素素子部とともに前記配線に対して前記第１画素の側に設けられていることを特徴とする。
本発明に係る他の液晶パネルは、隣接する第１画素と第２画素との間に延在するドレイン配線と、前記ドレイン配線に対して前記第１画素の側に設けられた前記第１画素用の第１トランジスタと、前記第２画素用の第２トランジスタと、を備え、前記第２画素用の第２トランジスタは前記第１トランジスタとともに前記ドレイン配線に対して前記第１画素の側に設けられていることを特徴とする。ここで、前記ドレイン配線と交差する方向に延在するゲート配線をさらに備え、前記第１トランジスタおよび前記第２トランジスタのそれぞれのソースおよびドレインは前記ゲート配線に対し一方側に設けられていることが好ましい。また、前記ドレイン配線と交差する方向に延在するゲート配線をさらに備え、前記第１トランジスタのソースおよびドレインは前記ゲート配線に対し一方側に設けられ、前記第２トランジスタのソースおよびドレインは前記ゲート配線に対し他方側に設けられていることが好ましい。また、前記第１画素用の第１画素電極と、前記第２画素用の第２画素電極と、をさらに備え、前記第１画素電極および前記第２画素電極は前記ドレイン配線に対して前記第１画素の側においてそれぞれ前記第１トランジスタおよび前記第２トランジスタに接続されていることが好ましい。また、前記ドレイン配線に対して前記第１画素の側に設けられた前記第１画素用の第１保持容量と、前記第１保持容量とともに前記ドレイン配線に対して前記第１画素の側に設けられた前記第２画素用の第２保持容量と、をさらに備え、前記第１保持容量および前記第２保持容量は前記ゲート配線に対し一方側に設けられていることが好ましい。また、前記第１画素用の第１画素電極および第１共通電極と、前記第２画素用の第２画素電極および第２共通電極と、をさらに備え、前記第１画素電極および前記第１共通電極は絶縁膜を介して第１保持容量を形成し、前記第２画素電極および前記第２共通電極は絶縁膜を介して第２保持容量を形成していることが好ましい。また、前記第１画素電極および前記第２画素電極は前記ドレイン配線に対して前記第１画素の側においてそれぞれ前記第１トランジスタおよび前記第２トランジスタに接続されていることが好ましい。
【手続補正３】
【補正対象書類名】明細書
【補正対象項目名】００１３
【補正方法】変更
【補正の内容】
【００１３】
また、前記第１画素はシアンまたは緑の表示色を表示する画素であることが好ましい。また、前記第２画素は赤または青の表示色を表示する画素であることが好ましい。
【手続補正４】
【補正対象書類名】明細書
【補正対象項目名】００５４
【補正方法】変更
【補正の内容】
【００５４】
液晶パネル３０Ｆでは、上記液晶パネル３０Ｔと同様に、２個の画素ＴＦＴ７０が配置された画素配置領域４６Ｂと画素ＴＦＴ７０が配置されていない画素配置領域４６Ｂとが交互に並んでおり、一方の（図中では左側の）画素ＴＦＴ７０に接続された画素電極５２はその全体が上記２個の画素ＴＦＴ７０が配置された画素配置領域４６Ｂ内に設けられ、他方の（図中では右側の）画素ＴＦＴ７０に接続された画素電極５２は、当該画素ＴＦＴ７０が接続されたドレイン配線４６を跨いで、隣接する両画素配置領域４６Ｂに渡って設けられている。共通電極６０は、各画素配置領域４６Ｂに画素電極５２に重ねて設けられている。図示では共通電極６０を各画素配置領域４６Ｂに設けた場合を例示しているが、隣接する複数の画素Ｐ１，Ｐ２、さらには全ての画素Ｐ１，Ｐ２に共通に共通電極を設けてもよく、この場合には各画素Ｐ１，Ｐ２に共通電極配線５４および共通電極用中継電極５６を設けなくてもよい。ブラックマトリクス６２は、上記液晶パネル３０Ｔの場合と同様に設けられているが、図示では画素配置領域４６Ｂ内に設けられた２個の画素ＴＦＴ７０には重なっておらず２つの開口部６２Ｐ１，６２Ｐ１が同じ形状および大きさの場合を例示している。
【手続補正５】
【補正対象書類名】図面
【補正対象項目名】図１
【補正方法】変更
【補正の内容】
【図１】
2008003185.tif 000001